(57)【特許請求の範囲】
【請求項１】
用紙が載置され、印字装置本体内の印字機構部に用紙を給送するための給紙カセットと、この給紙カセットによる用紙の載置を補助するために該給紙カセットに対して斜め上方に引き出される出没自在な付属用紙ガイドとを有し、印字装置本体に対して着脱自在に構成された給紙装置において、
前記給紙カセットには、印字装置本体に取り付けられた時に、印字装置本体側の孔又は凹部と掛止して給紙カセットを印字装置本体に固定するフック部が弾性を有して設けられ、
前記印字装置本体側の孔又は凹部の上側壁面は上向きのテーパ形状とされ、
前記フック部と印字装置本体との掛止を解除するとき、前記給紙カセットを僅かに前記用紙ガイドの引き出し方向と直交する方向に回動させると、前記掛止が解除されると共に前記フック部が前記テーパ形状の壁面上を摺動可能となるようにしたことを特徴とする給紙装置。
【請求項２】
前記フック部は、前記印字装置本体側の孔又は凹部と線接触により掛止されていることを特徴とする請求項１に記載の給紙装置。
【発明の詳細な説明】
【０００１】
【発明の属する技術分野】
本発明は、画像記録装置に適用される給紙装置に関し、特に、記録用紙が載置される給紙カセットの記録装置本体への着脱構造に関するものである。
【０００２】
【従来の技術】
従来から、記録装置本体に着脱自在に構成された給紙装置としては、裁断された記録用紙が載置されるホッパとして機能する給紙カセットがあり、さらに、この給紙カセットには、該カセットに収納しきれない大きさの記録用紙を載置する場合に記録用紙の載置を補助するための用紙ガイドが付属されたものが知られている。この付属の用紙ガイドは、給紙カセットに対して出没自在に構成されており、必要時に給紙カセットから斜め上方に引き出され、引き出した状態で記録用紙がその上に載置されるようになっている。
【０００３】
【発明が解決しようとする課題】
しかしながら、上記のような従来の給紙装置によれば、付属の用紙ガイドを給紙カセットから引き出した時、この引き出し時に給紙カセットに対して斜め上方向への力が加わることによって、給紙カセットが付属の用紙ガイドと共に引っ張られて記録装置本体から外れてしまったり、記録装置本体の所定位置からずれてしまうといった問題があった。
【０００４】
本発明は、上述した問題点を解決するためになされたものであり、付属の用紙ガイドを引き出す際に給紙カセットが記録装置本体から外れたり、ずれたりすることがなく、しかも、給紙カセットの記録装置本体への脱着を容易に行うことができる給紙装置を提供することを目的とする。
【０００５】
【課題を解決するための手段】
上記目的を達成するために請求項１に記載の発明に係る給紙装置は、用紙が載置され、記録装置本体内の記録機構部に用紙を給送するための給紙カセットと、この給紙カセットによる用紙の載置を補助するために該給紙カセットに対して斜め上方に引き出される出没自在な付属用紙ガイドとを有し、記録装置本体に対して着脱自在に構成された給紙装置であって、給紙カセットには、記録装置本体に取り付けられた時に、記録装置本体側の孔又は凹部と掛止して給紙カセットを記録装置本体に固定するフック部が弾性を有して設けられ、前記印字装置本体側の孔又は凹部の上側壁面は上向きのテーパ形状とされ、前記フック部と印字装置本体との掛止を解除するとき、前記給紙カセットを僅かに前記用紙ガイドの引き出し方向と直交する方向に回動させると、前記掛止が解除されると共に前記フック部が前記テーパ形状の壁面上を摺動可能となるようにしたものである。
【０００６】
上記構成においては、給紙カセットに設けられたフック部が記録装置本体側の孔又は凹部と掛止されているので、付属用紙ガイドが給紙カセットから引き出す際に給紙カセットが記録装置本体から外れたり、ずれたりすることがない。また、給紙カセットを所定の方向に回動させることでフック部と記録装置本体側の孔又は凹部と掛止を解除することができるので、給紙カセットの記録装置本体からの取り外しを容易に行うことができる。
【０００７】
【０００８】
また、上記構成においては、付属用紙ガイドを引き出した時に給紙カセットに加わる力は給紙カセットの記録装置本体との掛止を解除する方向ではないので、給紙カセットが記録装置本体から外れたり、ずれたりすることをより確実に防止することができる。
また、上記構成においては、給紙カセットを僅かに回動させるだけでフック部と孔又は凹部との掛止が解除され、その後はフック部がその弾性の復元力によりテーパ形状の壁面上を摺動して給紙カセットが記録装置本体から外れる方向に付勢される。これにより、給紙カセットの取り外しが容易に行える。
【０００９】
また、請求項２に記載の発明に係る給紙装置は、請求項１に記載の給紙装置であって、フック部は記録装置本体側の孔又は凹部と線接触により掛止されているものである。
【００１０】
上記構成においては、フック部と記録装置本体側の孔又は凹部との掛止の度合が僅かであっても十分に掛止され、しかも給紙カセットを取り外すときに、僅かに回転させるだけで掛止を解除することができるものとなる。
【００１１】
【００１２】
【００１３】
【発明の実施の形態】
以下、本発明の実施の一形態に係る給紙装置について図面を参照して説明する。図１は給紙装置を備えたインクジェット式記録装置の縦断面図である。この記録装置は、インクジェット式記録機構１を備え、給紙装置２から用紙Ｓを１枚ずつ送り出し、さらに用紙送り装置７によりその用紙を記録機構１の前面に送り、用紙Ｓに所定の記録を行い、記録装置外に排出する。用紙Ｓは、一定寸法の矩形状に裁断されたいわゆる単票用紙である。
【００１４】
記録機構１には、ガイドレール１０に沿って往復移動するキャリッジ１１と、キャリッジ１１に支持されたインクカートリッジ１２及び記録ヘッド１３が設けられている。ガイドレール１０は、給紙装置２から供給される用紙Ｓの幅方向、すなわち用紙Ｓの表面と平行でかつ用紙Ｓの送り方向と直交する方向に配置される。記録時には、キャリッジ１１が不図示の駆動源にて往復駆動されつつ記録ヘッド１３からその下方を通過する用紙Ｓに向かってインク滴が吐出され、それにより用紙Ｓに文字や図形からなる画像が記録される。
【００１５】
給紙装置２には、装置本体に着脱自在で用紙Ｓを積層状態で収容するホッパとして機能する給紙カセット３と、この給紙カセット３から用紙Ｓを送り出すための送出機構４と、給紙カセット３から送り出される用紙Ｓが突き当たるように設けられた壁部５とが設けられている。給紙カセット３の内部には、用紙Ｓを積層支持する押上板３１が設けられる。押上板３１は給紙カセット３の後端側に設けられた回動軸３４を中心として回動可能であり、ばね３５により用紙Ｓの先端側が送出機構４に向け押し上げ付勢されている。
【００１６】
送出機構４には、用紙Ｓの幅方向と平行な支持軸４０と、支持軸４０上に取り付けられた半月状の給紙ローラ４１と、円板状のカラー４２とが設けられる。給紙ローラ４１は、円周の一部を切り欠いた半月状とされ、周面には摩擦力を高めるためゴム材質などが装着され、このローラ４１の外周長は、この１回転で１枚の用紙Ｓを用紙送り装置７の送りローラ７０まで送り出すことができるように設定されている。また、カラー４２は、給紙ローラ４１と同軸でこれよりも僅かに小径とされ、回転軸４０に対して回転自在であり、給紙ローラ４１の切り欠き円弧部分が用紙Ｓに対向する状態においても、カラー４２が用紙Ｓに当接して用紙Ｓが重送されるのを防止している。壁部５には、給紙カセット３の先端から下降する用紙Ｓを受け止める用紙受け面５０が形成されている。用紙受け面５０は、給紙カセット３から送り出される用紙Ｓを一枚ずつに分離する作用を有するもので、摩擦部材など公知の分離手段が適宜併設されていてもよい。給紙装置２には、さらに記録装置の外郭を構成するカバー部材６３に、手差し用紙のための挿入口２１が設けられる。手差し挿入口２１は、送出機構４よりも下流側で用紙送り装置７よりも上流側に開口している。
【００１７】
用紙送り装置７には、記録機構１の上流側に設けられた送りローラ７０および押さえローラ７１と、押さえローラ７１を支持するレバー部材７５と、下流側に設けられた排出ローラ対７２、７３と、用紙通路を形成するための通路壁６１等が設けられる。通路壁６１，６２は、給紙カセット３、送出機構４および記録機構１を支持する記録装置のフレーム６０の一部に形成され、用紙受け面５０から連続して記録ヘッド１３と対向する位置へ延びる。送りローラ７０は、用紙幅方向と平行な軸線の周りに回転可能に設けられ、その大部分が通路壁６１の下に位置し、その両通路壁６１，６２間の開口から一部上面を露出している。押さえローラ７１は、特に図示しないが、用紙幅方向に複数個設けられ、それぞれ送りローラ７０の露出部分に接触する。
【００１８】
両ローラ７０、７１よりも下流側の通路壁６２は、記録ヘッド１３と対向するいわゆるプラテン面を形成しているが、ローラ７０に近い端部において記録ヘッド１３から最も離れ、下流側に向け漸次接近するように傾斜している。この通路壁６２との上端とほぼ同じ高さに排出ローラ対７２、７３の接点部が位置する。
【００１９】
このように用紙通路が構成されているので、両ローラ７０、７１から送り出された用紙の先端は、通路壁６２にほぼ密着しながら進み、排出ローラ対７２、７３に挟まれる。ローラ７０、７１と排出ローラ対７２、７３間に渡った用紙は、ローラ７０、７１よりも排出ローラ対７２、７３の方が僅かに高速で用紙を送るように設定されているため、上記のローラ７０、７１の接点部と排出ローラ対７２、７３の接点部とを結ぶ線に沿って張られた状態になる。この状態にて用紙上に記録ヘッド１により記録が成される。記録後の用紙Ｓは排紙スタッカ７７に排出される。用紙Ｓの給送路を一点鎖線で示している。
【００２０】
図２は給紙装置２の給紙カセット３部分を詳細に示す側断面図、図３は給紙カセット３の正面図である。給紙装置２における給紙カセット３は、カセットベース板３０と、押上板３１と、給紙カセット３の上面を覆う蓋３２と、側部を覆う側板３３からなり、これらは樹脂材料等にて成型されている。押上板３１の上面には用紙の左右端を揃えるための用紙揃え板３１ａが設けられ、カセットベース板３０の背面側には、出没自在な用紙ガイド（付属用紙ガイド）３７が設けられている。カセットベース板３０の下端部３ａには突出部３ｂが形成され、この突出部３ｂが記録装置本体のフレーム６０に形成された凹部６０ａに挿入されることにより給紙カセット３が記録装置本体に結合され装着される。給紙カセット３の装着後は、給紙カセット３の背面壁に左右対称的に形成されているフック部３ｃが記録装置本体のフレーム６０に形成された孔（掛止部）６０ｂと線接触による掛止によって記録装置本体に固定される。このフック部３ｃは、図３に示すように、その周り３辺に切り欠き３ｆを設けることにより弾性を有して設けられている。また、孔６０ｂの上側端面は上向きのテーパ面６０ｃに形成されている。
【００２１】
また、蓋３２は、アーム３２ｂにより軸３２ｃを中心に側板３３に回動可能とされ、この回動によりアーム３２ｂの下端部が押上板３１の両側下端部をバネ３５の付勢に抗して押圧することで押上板３１を押し下げて、送出機構４のカラー４２と押上板３１との間に用紙Ｓをセット可能な隙間が形成される。給紙カセット３が装置本体に装着された状態で、給紙ローラ４１及びカラー４２が当接する押上板３１上には、用紙を分離給送するための摩擦部材としてコルク３１ｂが設けられている。
【００２２】
次に、用紙ガイド３７の出没構成について上記の図３に加えて図４及び図５を参照して説明する。図４（ａ）は用紙ガイド３７が引き出された状態の給紙カセット３を示す側断面図、（ｂ）は用紙ガイド３７が収納された状態の給紙カセット３を示す側断面図、図５（ａ）は用紙ガイド３７の一部を破断した側面図、（ｂ）は正面図である。用紙ガイド３７の両側部は、給紙カセット３の背面に設けられた一対のガイド受け３８ａ，３８ａ及び補助ガイド受け３８ｃ，３８ｃに支持され、これにより給紙カセット３の背面側にて該給紙カセット３に対して出没自在に構成されている。用紙ガイド３７の下部付近には、記録用紙が載置される前面側に抜け止め及び位置決め用の突起部３７ａが形成され、この突起部３７ａの周りの３辺には切り欠き３７ｂが設けられ、弾性を持った構造とされている。カセットベース板３０の用紙ガイド３７に対向する背面には、用紙ガイド３７が引き出された時にその突起部３７ａが係合され、位置決めするための一対の係合部３ｄ，３ｄが形成され、また、用紙ガイド３７が下方に移動され収納された時に突起部３７ａが係合され、用紙ガイド３７の上方への移動を抑止するストッパ３９が形成されている。また、用紙ガイド３７の上部付近には、その収納時にガイド受け３８ａ，３８ａに当接して用紙ガイド３７の下方への移動を抑止するための突起部３７ｃが形成されている。図４（ｂ）に示す用紙ガイド３７の収納状態から図４（ａ）に示す引き出し状態にするには、用紙ガイド３７を斜め方向に引き出す。この引き出し時には、突起部３７ａがストッパ３９を乗り越え、また、係合部３ｄの下方側を乗り越えるための引っ張り力を用紙ガイド３７に与える必要がある。
【００２３】
次に、給紙カセット３側のフック部３ｃと記録装置本体側の孔６０ｂとの掛止構成及びその作用について図６を参照して説明する。図６（ａ）乃至（ｃ）はフック部３ｃが孔６０ｂに掛止している状態から掛止を解除するときの動作を説明するための側断面図である。上述したように、給紙カセット３の先端部３ａ及び突出部３ｂが記録装置本体のフレーム６０に形成された凹部６０ａに挿入されて給紙カセット３が記録装置本体に装着されると、図６（ａ）に示すように、給紙カセット３のフック部３ｃと記録装置本体のフレーム６０に形成された孔６０ｂとが掛止される。この掛止状態においては、フック部３ｃは孔６０ｂとテーパ面６０ｃに線接触しており、給紙カセット３が図６（ａ）の矢印方向、即ち、用紙ガイド３７を引き出す方向と同一方向に引っ張られても、フック部３ｃと孔６０ｂとの掛止は解除されないようになっている。
【００２４】
給紙カセット３を記録装置本体から取り外す場合は、まず、給紙カセット３を、フック部３ｃの先端が孔６０ｂのテーパ面６０ｃに摺動可能となる状態まで、給紙カセット３を僅かに用紙ガイド３７の引き出し方向と直交する方向（装置本体の手前方向であって図６（ｂ）に示す矢印（１）の方向）に回動させ、フック部３ｃと孔６０ｂとの掛止を解除してから、略上方向（用紙ガイド６０を引き出す斜め上方向とは若干異なる矢印（２）の方向）へ引き上げる。この時、フック部３ｃは撓みながら矢印（３）の方向に孔６０ｂのテーパ面６０ｃと摺動して、図６（ｃ）に示すように、テーパ面６０ｃ上を上方へ移動し、給紙カセット３が記録装置本体のフレーム６０から取り外される。この取り外し時におけるフック部３ｃの撓み及びテーパ面６０ｃとの摺動により、フック部３ｃと孔６０ｂとの掛止を解除するために要する給紙カセット３の回動量が少なくて済む。
【００２５】
このように、本実施形態の給紙装置２によれば、給紙カセット３を記録装置本体に装着したとき、フック部３ｃと記録装置本体のフレーム６０の孔６０ｂとが掛止するので、用紙ガイド３７を引き出した時に給紙カセット３に対してその引き出し方向への力が加わった場合でも、給紙カセット３が用紙ガイド３７と共に引っ張られて記録装置本体から外れてしまったり、記録装置本体の所定位置からずれてしまうことがない。また、フック部３ｃと孔６０ｂとは線接触により掛止しされており、給紙カセット３を記録装置本体から取り外す時には、給紙カセット３を上記のように手前側方向に僅かに回動させるだけでフック部３ｃと孔６０ｂとの掛止を解除することができるので、記録装置本体から給紙カセット３を簡単に取り外すことができる。さらに、給紙カセット３の取り外し時に、フック部３ｃが撓んで孔６０ｂのテーパ面６０ｃを摺動しながら上方へ移動するので、給紙カセット３の僅かな回動量でもって給紙カセット３を取り外すことができる。
【００２６】
なお、本発明は上記の実施形態の構成に限られず種々の変形が可能である。例えば、上記の実施形態では、給紙カセット３のフック部３ｃは、記録装置本体のフレーム６０の孔６０ｂに掛止するものとされているが、フレーム６０に凹部を設けてフック部３ｃがこの凹部と掛止するように構成してもよい。また、これらフック部３ｃと孔６０ｂとは相対的なものであり、逆の関係に設けられていてもよい。また、上記実施形態では、フック部３ｃと孔６０ｂとが線接触により係合する構成とされているが、互いの面同士が接触するような構成であっても構わない。
【００２７】
【発明の効果】
以上のように請求項１に記載の発明に係る給紙装置によれば、給紙カセットのフック部と記録装置本体側の孔又は凹部との掛止により、付属用紙ガイドが給紙カセットから引き出されても給紙カセットが記録装置本体から外れたりずれたりすることがない。また、フック部と記録装置本体側の孔又は凹部と掛止は、給紙カセットを所定の方向に回動させれば解除できるので、給紙カセットを記録装置本体から簡単に取り外すことができる。
【００２８】
また、フック部と記録装置本体との掛止を解除するときの給紙カセットの回動方向と、用紙ガイドの引き出し方向とが略直交するようにされているので、付属用紙ガイドを引き出した時に給紙カセットが記録装置本体から外れたり、ずれたりすることをより確実に防止することができる。
また、給紙カセットを解除所定方向に回動させると、フック部と記録装置本体側の孔又は凹部との掛止が解除され、フック部がテーパ形状の壁面上を摺動するようにしているので、給紙カセットの少ない回転量でもって給紙カセットを記録装置本体から容易に取り外すことができる。
【００２９】
また、請求項２に記載の発明に係る給紙装置によれば、上記効果に加えて、フック部と記録装置本体側の孔又は凹部との掛止が線接触により行われており、少量の回転量でもって、フック部と記録装置本体側の孔又は凹部との掛止を解除することができるものが得られる。
【００３０】
【図面の簡単な説明】
【図１】  本発明の一実施形態による給紙装置を備えたインクジェット式記録装置の断面図である。
【図２】  給紙装置の給紙カセット部分を詳細に示す側断面図である。
【図３】  給紙カセットの正面図である。
【図４】 (ａ) は用紙ガイドが引き出された状態の給紙カセットを示す側断面図、(ｂ)は用紙ガイドが収納された状態の給紙カセットを示す側断面図である。
【図５】  （ａ）は用紙ガイドの一部を破断した側面図、(ｂ)は正面図である。
【図６】 (ａ)(ｂ)(ｃ)はフック部と孔とが掛止した状態から掛止を解除する作用を説明するための側断面図である。
【符号の説明】
２    給紙装置
３    給紙カセット
３ｃ  フック部
３７  用紙ガイド(付属用紙ガイド)
６０ｂ  孔
６０ｃ  テーパ面(テーパ形状の壁面)
【図１】
0003849208.tif 000002
【図２】
0003849208.tif 000003
【図３】
0003849208.tif 000004
【図４】
0003849208.tif 000005
【図５】
0003849208.tif 000006
【図６】
0003849208.tif 000007